(57)【要約】  本発明の主題は、ケラチン物質に製品（Ｐ）を塗布するためのアプリケータであって、アプリケータ要素（５）と、軸部（４）と、軸部（４）に固定された連結要素（９）と、接合部（１１）と、を有し、前記連結要素（９）が、ケラチン物質に製品を塗布する際に曲がることが可能な少なくとも１つの弾性的に変形可能な可撓性の部分（２０）を有する、アプリケータである。
2017509390.tif 000002
【特許請求の範囲】
【請求項１】
ケラチン物質に製品（Ｐ）を塗布するためのアプリケータであって、
−  アプリケータ要素（５）と、
−  軸部（４）と、
−  前記軸部（４）に固定された連結要素（９）と、
−  接合部（１１）と、
を有し、
−  前記連結要素（９）が、前記製品を前記ケラチン物質に塗布する際に曲がることが可能な弾性的に変形可能な可撓性の部分（２０）を有することを特徴とするアプリケータ。
【請求項２】
前記連結要素（９）が剛性の部分（２１）を有する、請求項１に記載のアプリケータ。
【請求項３】
前記可撓性の部分（２０）が前記剛性の部分（２１）に覆い被せられる、請求項２に記載のアプリケータ。
【請求項４】
前記接合部（１１）は、前記アプリケータ要素（５）を前記連結要素（９）に接続する、請求項１から３のいずれか一項に記載のアプリケータ。
【請求項５】
前記接合部（１１）は、前記アプリケータ要素（５）と前記連結要素（９）の相対的移動を可能にする、請求項１から４のいずれか一項に記載のアプリケータ。
【請求項６】
前記接合部（１１）によって、前記アプリケータ要素（５）と前記連結要素（９）が固定位置において噛み合うことが可能になる、請求項１から４のいずれか一項に記載のアプリケータ。
【請求項７】
前記接合部（１１）は軸ピンを備える、請求項１から６のいずれか一項に記載のアプリケータ。
【請求項８】
前記接合部（１１）は玉継ぎ手を備える、請求項１から７のいずれか一項に記載のアプリケータ。
【請求項９】
前記接合部（１１）は前記連結要素（９）の内部に配設される、請求項１から８のいずれか一項に記載のアプリケータ。
【請求項１０】
前記接合部（１１）は、前記接合部（１１）の領域において前記連結要素（９）に対する前記アプリケータ要素（５）の軸方向または横方向の移動を阻止するように構成される、請求項１から９のいずれか一項に記載のアプリケータ。
【請求項１１】
前記連結要素（９）は、スナップ締め、ねじ接続、接着剤による接着、圧力嵌め、または圧着によって前記軸部（４）に接続される、請求項１から１０のいずれか一項に記載のアプリケータ。
【請求項１２】
化粧品を収容している容器と、請求項１から１１のいずれか一項に記載のアプリケータとを有する、前記製品を包装および塗布するためのデバイス。
【請求項１３】
ケラチン物質に化粧品を塗布するための方法であって、
−  請求項１から１１のいずれか一項に記載のアプリケータのアプリケータ要素（５）に装填するステップと、
−  前記アプリケータ要素（５）を前記ケラチン物質に接触させるステップと、
−  前記アプリケータを前記ケラチン物質の上で移動させるステップと、
−  前記ケラチン物質をマッサージするために、前記アプリケータ要素（５）に及ぼされる圧力を変えることによって前記軸部（４）に対する前記アプリケータ要素（５）の向きを変えるステップと、
を備えることを特徴とする方法。
【発明の詳細な説明】
【技術分野】
【０００１】
本発明は、軸部と、可動式のアプリケータ要素とを有する化粧用アプリケータに関する。
【０００２】
軸部を介してアプリケータ要素を配向させることが可能なアプリケータが知られている。
【背景技術】
【０００３】
このようなアプリケータは、化粧品の用途に適しているが、例えば、特許文献１、特許文献２および特許文献３に記載されている。
【０００４】
化粧品を皮膚に塗布する際に曲がることができるアプリケータが知られている。したがって、本出願人によって提出された特許文献４および特許文献５は、少なくとも１つの弾性的に変形可能な可撓性の部分を有する軸部を有するアプリケータを記載している。アプリケータ要素はこの可撓性の部分に固定される。可撓性の部分の内側に、または可撓性の部分の周囲に剛性の保持要素が固定されてよい。この保持要素は、手当てやメーキャップの適用の精度を高める。
【０００５】
このようなアプリケータの場合、完全に満足のいく程の快適さを達成することが必ずしも可能であるとは限らない。加えてそれらは顔の全領域をマッサージするようには設計されていない。
【０００６】
治療される領域の上をアプリケータ要素が通過する際、動かすことができるアプリケータは既に提案されている。この動く能力は、問題の領域上でのアプリケータ要素の傾斜、およびユーザがこの要素に及ぼす圧力に特に関連する。
【０００７】
このようなアプリケータは、特許文献６に記載されている。それは
−  把持部材と、
−  その第１の端部において把持部材に接続される軸部と、
−  玉継ぎ手を有する接合部によって軸部の第２の端部に接続されるアプリケータ要素と
を有する。
【０００８】
このアプリケータは特に、ユーザによって実施される動作に応じて３自由度で動くことができる特定の特徴を有する。しかしながら、それはもはや使用されなくなったときに、規則正しく軸部と一直線の状態に戻ることがない。完全な自由度で動くその能力によって、マッサージする際にユーザがその動きが制御しにくくなる。さらに、アプリケータ要素の移動距離は、接合部の構成によって制限される。
【先行技術文献】
【特許文献】
【０００９】
【特許文献１】仏国特許発明第２７５３０５６号明細書
【特許文献２】仏国特許発明第２８４０５１４号明細書
【特許文献３】米国特許第４１６５７５５号明細書
【特許文献４】仏国特許発明第２９０８０１８号明細書
【特許文献５】仏国特許発明第２９７９８０７号明細書
【特許文献６】国際公開第２０１３／１２７７４０号
【発明の概要】
【発明が解決しようとする課題】
【００１０】
皮膚にメーキャップを施し手当てをするためのアプリケータをさらに改善し、信頼性の高い、快適で使いやすい新たなアプリケータを有することへの要望がある。
【００１１】
具体的には、アプリケータ要素が、
−  使用後にその静止位置に自動的に戻り、
−  その静止位置のいずれの側においてもより大きな移動距離を呈する
アプリケータを提供することへの要望がある。
【００１２】
アプリケータはまた、身体の問題の領域の上を滑らかに進みながら気持ちよく流れるようなマッサージを提供する必要がある。この動作は、引っ張ったり衝撃を与えたりすることなく継続的で規則正しいものであり得る必要がある。
【００１３】
アプリケータは、操作するのに柔軟であり正確である必要がある。ユーザは、容易に、かつ制約がなく、顔の全ての部分に到達することが可能でなければならない。他より敏感であるまたはより疲労が目立つ顔の部分は、軽めにマッサージすることができなければならない。
【００１４】
本発明は特に、このような要望を満たすことを目指している。
【課題を解決するための手段】
【００１５】
本発明の主題は、ケラチン物質に製品（Ｐ）を塗布するためのアプリケータであり、
−  アプリケータ要素と、
−  軸部と、
−  軸部に固定された連結要素と、
−  接合部と
を有し、
連結要素は、ケラチン物質に製品を塗布する際に曲がることが可能な弾性的に変形可能な可撓性の部分を有する。
【００１６】
この可撓性の部分のおかげで、アプリケータ要素は、それがもはや使用されなくなると規則正しく軸部と一直線になるように戻る。
【００１７】
可撓性の部分があることで、比較的剛性のアプリケータ要素、例えば金属製のボールなどを有する場合でも塗布するための柔軟さおよび緊張性が提供される。
【００１８】
ケラチン物質との接触は弾力性があり、心地よく快適である。
【００１９】
このようなアプリケータによって、そうでなければ塗布すべき製品を収容している容器の中にアプリケータを差し込むことを困難にするようなことがなく、使用する際に軸部に対してアプリケータ要素の向きを変えることを可能にすることができる。
【００２０】
可撓性の部分は、アプリケータ要素の向きを変えるために可逆的なやり方で曲がることが可能である。したがってユーザは、今までにないマッサージする手の動きを伴うマッサージ効果を感じる。
【００２１】
可撓性の部分の可撓性は、その形状および／またはそれを形成するのに使用される１つまたは複数の材料に由来する可能性がある。
【００２２】
「弾性的に変形可能」という表現は、可撓性の部分が特定の形状記憶を有することを意味するように理解すべきである。「弾性的に変形可能」という表現は、広範な意味を有し、例えば可撓性の部分を形成するのに使用される材料の性質およびその形状を考慮して、特に可撓性の部分が、変形された後、弾性によってその最初の位置と厳密には全く同じではない位置に戻る場合も包含すると理解すべきである。
【００２３】
「接合部」という用語は、構成要素の組立体を意味するものと理解すべきであり、そのうちの１つは、組立て後の構成要素の角度を成す運動を可能にするための物理的な軸または玉継ぎ手を備える。接合部は、構成要素の相対的移動または固定位置におけるその噛み合った状態を保証する。
【００２４】
「接合部の軸」は、その周りで円形の動きを描く１つまたは複数の他の構成要素を接合するように機能する軸対称の構成要素として具現化される。好ましくは、接合部の軸は、アプリケータ要素の長手方向軸に直交する。具体的には、枢軸は、アプリケータ要素の長手方向軸に直交する。したがって、アプリケータの運動はより適切に制御される。好ましくは、この枢軸は剛性の円柱である。
【００２５】
軸部
軸部は、少なくともその長さの大部分に沿って、回転柱の形態またはおおよそ回転柱の形態であってよい。軸部は例えば、特定の面内で平らにされるのとは異なる場合もある。軸部は、例えば、その幅よりずっと大きな長さを有する場合もあり、例えば２倍以上、または３倍以上、さらに最適にはその幅の５倍以上大きい場合もある。
【００２６】
軸部は、把持部材に固定されてよい。１つの変形形態において、軸部と把持部材の間に接合部がある場合もある。
【００２７】
連結要素
連結要素が軸部に固定される。
【００２８】
軸部は、連結要素の一端を収容するために筐体を有する場合がある。１つの変形形態において、連結要素が、軸部の一端を収容するために筐体を有する場合もある。連結要素は圧着する場合に軸部による保持を高めるために、拡大されたヘッドまたは狭くなっている部分を有する場合がある。
【００２９】
有利には、連結要素は、スナップ締め、ねじ接続、接着剤による接着、圧力嵌め、または圧着によって軸部に接続される。
【００３０】
連結要素は、アプリケータ要素にばね作用を与える。
【００３１】
それは、戻る動作において推進される前に最大の度合いの応力を経験する。
【００３２】
ユーザが感じる効果は、力強く刺激的なマッサージ効果である。
【００３３】
可撓性の部分
可撓性の部分は、直線を成すまたは非直線を成す長手方向軸に沿って延在してよく、この軸は、例えばアプリケータが静止している際、アプリケータ要素の軸と一直線である。
【００３４】
可撓性の部分は、例えば熱可塑性材料の射出成形による成形作業によって形成されてよい。具体的には可撓性の部分は型押しされない可能性もある。
【００３５】
可撓性の部分の可撓性は、例えばそれが形成される１つまたは複数の材料の選択、具体的にはショア硬度の選択によって、塗布するのに所望される特性に応じて選択されてよい。
【００３６】
可撓性の部分は、以下のリスト：エラストマー材料、熱可塑性物質、熱可塑性エラストマー、ＬＤＰＥ、ＰＶＣ、ＰＵ、熱可塑性ポリエステルエラストマー、具体的には、ブテンテレフタレートおよびエステル化されたポリテトラメチレンオキシドグリコール、Ｈｙｔｒｅｌ（登録商標）、ＥＰＤＭ、ＰＤＭ、ＥＶＡ、ＳＩＳ、ＳＥＢＳ、ＳＢＳ、ラテックス、シリコン、ニトリル、ブチル、ポリウレタン、ポリエーテル−ブロック−アミド、ポリエステルのコポリマーからの材料から少なくとも一部分が形成されてよく、このリストは限定するものではない。
【００３７】
可撓性の部分は、例えば２５ショアＡから８０ショアＤの間の硬度、またさらには４０ショアＡから７０ショアＤの間の硬度を有する材料によって形成されてよい。好ましくは、可撓性の部分は、６０から８０ショアＡの硬度を有することになる。
【００３８】
可撓性の部分の全体的な見ることができる長さｌは、例えば７ｍｍから２５ｍｍの間である。可撓性の部分の最大の外側の横断寸法は、例えば３ｍｍから２０ｍｍの間、理想的には５ｍｍから１０ｍｍの間である。
【００３９】
好ましくは、可撓性の部分は、軸部の最大の横断寸法に等しい最大の外側の横断寸法を有する。
【００４０】
可撓性の部分の可撓性は、可撓性の部分の横断面および外形に応じて変動する可能性がある。
【００４１】
可撓性の部分は、様々な形状を有する中実または中空の断面を有する場合があり、例えば以下のリスト：多角形、正方形、矩形、三角形、円形、非円形、長円、卵形、楕円、ギザギザ（ｃｒｅｎｅｌｌａｔｅｄ）、星型、１つまたは複数の環状または軸方向の溝を有するものから選択された形状を有する。
【００４２】
可撓性の部分は、軸部の長手方向軸の周りで回転対称であってよい。
【００４３】
可撓性の部分は、必要であれば、狭くなっている部分を有する場合もある。このような狭くなっている部分は環状の形状である場合もある。接合部が、その幾何学形状に応じて回転するように作動する、または玉継ぎ手として作動することが可能であるのは、この狭くなっている部分の範囲内である。
【００４４】
可撓性の部分は回転対称でない場合もある。このような形状によって、アプリケータ要素の傾斜方向がその最初の構成に対して可変である可撓性を実現することが可能になり得る。
【００４５】
有利には、可撓性の部分は、アプリケータ要素と軸部が整列されたその最初の静止した構成に対して、３０°を超えて、さらには４５°を超えて、さらには６０°を超えて可逆的なやり方で傾斜させることができる。このような傾斜は、可撓性の部分の幾何学形状によって制限される場合がある。
【００４６】
剛性の部分
有利には、連結要素は剛性の部分を有する。
【００４７】
「剛性の部分」という表現は、有意な力に対する特定の媒体の作用の下でのみ変形する部分を意味するものと理解すべきである。剛性の部分は、力が及ぼされた場合わずかな全体的な変形を受ける可能性がある。
【００４８】
剛性の部分は、熱可塑性材料から、具体的には以下のリスト：  ＨＤＰＥ、ＬＤＰＥ、線形ＰＥ、ＰＴ、ＰＰ、ＰＯＭ、ＰＡ、ＰＥＴ、ＰＢＴから選択された材料の１つから形成することができ、このリストは限定するものではない。
【００４９】
剛性の部分は、以下のリスト：円形、非円形、長円、卵形、楕円、多角形、正方形、矩形、三角形、腎臓形、ギザギザ、星型、１つまたは複数の溝を有するものから選択された形状を有する、中実または中空の断面を有する場合がある。円形の断面が恐らく好ましい。
【００５０】
剛性の部分は、可撓性の部分をそこに固定するために少なくとも１つの筐体を有する場合がある。
【００５１】
有利には、可撓性の部分は、剛性の部分に覆い被せられる。
【００５２】
好ましくは、剛性の部分は、連結要素の中核を形成する。
【００５３】
アプリケータ要素
アプリケータ要素は、ある程度滑らかな外側面を有するマッサージ要素を有してよい。１つの変形形態において、特に表皮の組織を擦過するためにマッサージが行われる場合、外側面は浮き彫りになった彫刻模様などの凹凸を備える場合もある。
【００５４】
好ましくは、アプリケータ要素は、０Ｎから０．４Ｎの間、好ましくは０．０１Ｎから０．０２Ｎの間の力の作用の下に動くことが可能である。
【００５５】
有利には、アプリケータ要素と台座の間には研磨作用や摩擦は生じない。
【００５６】
アプリケータ要素は、球体、パール、微細なブラシ、ブラシ、スパチュラ、剛性または可撓性の浮き彫りを有するマッサージプレート、ロールオン、ラグビーボールまたは涙形などの固定式または可動の要素を有するマッサージプレートの形態を有する可能性がある。
【００５７】
より好ましくは、アプリケータ要素は一体型である。
【００５８】
アプリケータ要素は、具体的には、ステンレス鋼、セラミック、ガラス、エラストマー、またはプラスチック材などの金属で作製される。それは少なくとも２つの材料でできている場合もある。例えば、それは、フロック加工されたプラスチック材、スポンジを担持するプラスチック材、または１つは可撓性で１つは剛性の２つの材料で作製される場合がある。
【００５９】
有利には、アプリケータ要素は金属製である。それはすがすがしい感覚を与え、これは人間の健康およびリラクゼーションを高め、これにより塗布される製品の効果を高めながら、例えば目の周りの腫れや充血を緩和することが可能になる。
【００６０】
アプリケータ要素はまた、例えば発泡体、スポンジ、フェルトまたはフロック加工された末端部などの多孔性材料を含む場合もあり、これらは例えば製品を人体または顔に塗布するように設計されている。それはより多くの製品を保持し、徐々にそれを放出する。
【００６１】
アプリケータ要素は、毛管現象作用によって製品を保持することが可能な場合もある。
【００６２】
アプリケータ要素は、直線を成すまたは湾曲した軸を有する場合があり、好ましくはこの軸は、接合部に対してより適切に適合するために直線を成す。
【００６３】
接合部
有利には、接合部はアプリケータ要素を連結要素に接続する。これにより手の動きが最大限に活用される。
【００６４】
本発明の第１の実施形態によると、接合部によってアプリケータ要素と連結要素の相対的移動が可能になる。アプリケータによって顔または身体のより限定された場所に達することが可能になる。
【００６５】
本発明の第２の実施形態によると、接合部によってアプリケータ要素および連結要素が、固定位置において噛み合うことが可能になる。アプリケータは広い領域にわたって移動させ易い。それは軸部と共に１つになって移動する。
【００６６】
第３の実施形態によると、接合部は玉継ぎ手を備える。
【００６７】
本発明の意味において、「玉継ぎ手」は、１つの部品に形成され、好ましくは球形であり、中空の筐体の中で回転することができる接合部を意味するように理解されたい。具体的には、球形の構成要素が面取りされる場合もある。
【００６８】
玉継ぎ手の連結部は、その自由度によって特定され、それは、２つの構成要素を並進運動するように完全に連結するが、それらは自由に回転するようにされている。それは３度の連結（３つの並進運動）と、３自由度（３つの回転運動）とを有する。最も簡素なケースは、２つのものであり、すなわち雄と雌の球体の場合である。挙動の観点から好ましい方向は存在しない。方向が区別され得ない限りにおいて１つの概略的な表現があるのみである。２つの構成要素が玉継ぎ手によって連結される際、一方の構成要素上に固定位置が生じ、これは他方にある固定位置と一致する。この位置が連結の中心である。
【００６９】
第４の実施形態によると、接合部は軸ピンを備える。
【００７０】
「玉継ぎ手連結部」は、「軸ピン連結部」と区別される。後者は、構成要素を回転するように誘導し、連結部の軸を中心とした回転を可能にするのみである。軸ピン連結部内に２つの固体がある場合、各々の固体上に、各々のケースにおいて一致する少なくとも２つの固定位置が存在する。これらの地点を通過する直線が連結部の軸を構成する。それは３度の連結（３つの並進運動）と、１自由度（１つの回転運動）とを有する。
【００７１】
有利には、接合部は連結要素の内部に配設される。
【００７２】
接合部を連結要素の内部に配設することで、アプリケータをよりコンパクトにし、扱い易くすることができる。
【００７３】
好ましくは、接合部は、接合部の領域において連結要素に対するアプリケータ要素の軸方向または横方向の移動を阻止するように構成される。
【００７４】
接合部の領域において連結要素に対するアプリケータ要素の軸方向または横方向の移動が生じないことによって、ユーザが所望される場所でアプリケータ要素を正確に位置決めすることを可能にする。
【００７５】
包装および塗布デバイス
本発明の別の主題は、化粧品を収容している容器と、上記で規定されるアプリケータとを有する、化粧品を包装および塗布するためのデバイスである。
【００７６】
アプリケータは、容器の近くになるように構成されてよい。
【００７７】
容器は、例えばチューブ、ポットまたは瓶であってよい。
【００７８】
アプリケータ要素は、容器の中に浸されてよい。
【００７９】
容器はワイパーを有する場合がある。容器の密閉式の締め具は、軸部の頂部に位置決めされたシールによって形成されてよい。化粧品は、具体的にはボディケア製品またはフェイシャルケア製品、メーキャップ製品または衛生製品であってよい。具体的には、化粧品は、保湿用ケア製品、アンチエイジング製品、皺予防製品、ファンデーション、グロス、リップバーム、リップスティック、アイシャドウ、コンシーラ、アンチセルライトケア製品またはマスカラであってよい。
【００８０】
塗布方法
本発明の別の主題は、以下のステップ、
−  上記に定義されるアプリケータのアプリケータ要素に化粧品を装填するステップと、
−  アプリケータ要素をケラチン物質に接触させるステップと、
−  ケラチン物質に化粧品を塗布するためにアプリケータを移動させるステップと、
−  ケラチン物質をマッサージするために、この要素に及ぼされる圧力を変えることによって軸部に対するアプリケータ要素の向きを変えるステップと
を有する、ケラチン物質に化粧品を塗布するための方法である。
【００８１】
アプリケータ要素が、目の周りなどの特に敏感な範囲に製品を塗布するように構成される場合、方法は、以下のステップ
−  アプリケータ要素が片方の目の下に置かれるようにその端部を位置決めするステップと、
−  アプリケータ要素が軸部に対して第１の傾斜度にある状態で、アプリケータ要素を第１の軸を中心に、具体的にはこの範囲に直交する軸を中心に回転させるステップと、
−  アプリケータ要素が軸部に対して、第１の傾斜度と異なる第２の傾斜度にある状態で、アプリケータ要素を第２の軸を中心に、具体的にはこの範囲に直交しない軸を中心に回転させるステップと、
−  静止している位置を修正するステップと
を有する。
【００８２】
本発明は、非制限的な実装例の以下の詳細な記載を読むことで、および添付の図面を考察することで、より適切に理解され得る。
【図面の簡単な説明】
【００８３】
【図１】本発明によるアプリケータの第１の例の軸方向の断面における概略図である。
【図２】軸方向の断面における、図１からのデバイスの連結要素の拡大図を概略的かつ部分的に示す図である。
【図３】本発明によるアプリケータの第２の例の部分的な軸方向の断面における概略図である。
【図４】静止位置にある、図３からのアプリケータの正面図を概略的かつ部分的に示す図である。
【図５】最大の傾斜の位置における、軸部に対してアプリケータ要素が回転した後の図３からのアプリケータの正面図を概略的かつ部分的に示す図である。
【図６】本発明によるアプリケータの第３の例の部分的な軸方向の断面における概略立面図である。
【図７】軸方向の断面における図６からのデバイスの連結要素を概略的かつ部分的に示す図である。
【図８】軸方向の断面における図６からのデバイスの接合部を概略的かつ部分的に示す図である。
【図９】本発明によるアプリケータの第４の例の軸方向の断面における概略図である。
【図１０】軸方向の断面における図９からのデバイスの連結要素の拡大図を概略的かつ部分的に示す図である。
【図１１】本発明によるアプリケータの第５の例の概略正面図である。
【図１２】図１１からのデバイスの連結要素の拡大図を概略的かつ部分的に示す正面図である。
【図１３】軸方向の断面における図９からのデバイスの連結要素と軸部の一部分の拡大図を概略的かつ部分的に示す図である。
【発明を実施するための形態】
【００８４】
第１のアプリケータの実施例
図１および図２に示されるアプリケータは、例えば保湿クリームなどの製品Ｐを顔または身体に塗布することを目的としている。
【００８５】
アプリケータは軸部４と、把持部材１０と、アプリケータ要素５とを有する。軸部４、連結要素９およびアプリケータ要素５は、同一の長手方向軸Ｘに沿って整列させることができる。把持部材１０は、容器のためのクロージャキャップを構成している。この目的のために、それは、容器のねじ山付きのネックにねじ込まれるように構成された雌ねじ９１を備えている。
【００８６】
アプリケータはまた、接合部１１を有する。
【００８７】
アプリケータ要素５は金属製である。
【００８８】
問題の実施例では、軸部４は、アプリケータが容器に対して所定の場所にあるとき、容器のネックの軸にほぼ一致する直線を成す長手方向軸Ｘを有する。
【００８９】
連結要素９が、軸部４の遠位端に固定される。このような固定作業は、圧力嵌めまたはクリップ締めによって形成される。
【００９０】
連結要素９は、
−  可撓性の外側部分２０と、
−  剛性の内側部分２１と
を有する。
【００９１】
可撓性の部分２０は、剛性の部分２１より柔らかい材料で作製される。例えば、可撓性の部分２０は、以下のリスト：エラストマー材料、熱可塑性物質、熱可塑性エラストマー、ＬＤＰＥ、ＰＶＣ、Ｈｙｔｒｅｌ（登録商標）、ＥＰＤＭ、ＥＶＡ、ＳＩＳ、ＳＥＢＳ、ＳＢＳ、ラテックス、シリコン、ニトリル、ブチル、ポリウレタン、ポリエーテル−ブロック−アミドからの材料から形成される。
【００９２】
剛性の部分２１は、例えばポリオレフィン（ＰＰ）から形成される。
【００９３】
剛性の部分２１は、例えばＰＯＭまたはＰＢＴから形成される。
【００９４】
可撓性の部分２０は、軸部４に対して柔軟性を与える。
【００９５】
塗布する際、アプリケータ要素５と皮膚の接触を和らげ、可撓性の部分２０の弾性が、製品を塗布するのに有益であることを立証する。
【００９６】
剛性の部分２１は、様々な方法で軸部４に固定される可能性がある。例えば、図３に例示されるように、軸部４の中の筐体２１１に入るように圧力嵌めされる場合もある。
【００９７】
剛性の部分２１は反対側に、アプリケータ要素５の一端を収容するための筐体２１２を有する。
【００９８】
剛性の部分２１は、軸部の中に固定するための領域２１３と、アプリケータを収容するための筐体２１２を接続するライン２１０を有する。このライン２１０は、接合を可能にする領域である。このラインが回転対称の形状を有する場合、接合部は玉継ぎ手である。このラインが薄板状の平坦な形状を有する場合、接合部は軸ピンである。連結要素が傾けられる際、この回転がライン２１０を曲げることになる。このライン２１０がこのとき、連結要素をその開始地点に戻す傾向にある対向する力を及ぼす。
【００９９】
連結要素への荷重に関わらず、それはこの荷重が止むとすぐさまその静止位置に戻る。
【０１００】
従来のアプリケータでは想像できなかった、マッサージおよびメーキャップを塗布するための今までになかった手の動作が実現される。
【０１０１】
ライン２１０は、叩いたり押しつけたりする動作を利用する今までにないマッサージする手の動きのためのばねとして作用する。
【０１０２】
当然のことながら、本発明の範囲から逸脱することなく、アプリケータ、具体的にはアプリケータ要素および可撓性の部分に対して様々な修正を行うことができる。
【０１０３】
可撓性の部分２０は、様々な方法で剛性の部分２１に固定することができる。
【０１０４】
剛性の部分２１はその第１の軸方向の端部において、軸Ｘのヘッド２１３を有することができる。ヘッド２１３は、軸部４内の筐体２１１に挿入される。それは例えば、軸Ｘにほぼ平行であり、開口２１４がその中を貫通している平坦な面２１５および２１６を有する端部２１１を備える場合もある。これらの面２１５および２１６は、軸部４により適切に連結するために、端部において狭くなっている。軸部内の筐体２１１は、その内側の部分にノッチを有することで、２１３および２１１がクリップ締めされることを可能にする。
【０１０５】
剛性の部分２１はその第２の軸方向の端部において、球形の壁２１８を有することができる。後者は、アプリケータ要素５の球形の部分５１を収容するための筐体２１２を画定することができる。壁２１８は、中央の突起２１７を有することができる。それを部分５１内の対応する筐体２１９の中に挿入することができる。連結要素とアプリケータの間に玉継ぎ手連結が形成された場合、この中央の突起２１７によってアプリケータを静止した状態で軸部と一直線に保つことが可能になる。
【０１０６】
球形の部分５１は、所望される隙間を有して筐体２１２に圧力嵌めされる。筐体２１２は、アプリケータの意図的なまたは故意ではない分解を阻止するために球形の端部５１を覆うことが意図されたスカート２２０の範囲を定める。
【０１０７】
剛性の部分２１は、一部が軸部４に挿入されるのみである。
【０１０８】
連結要素９は部分的に見ることができる。
【０１０９】
図３に示される連結要素９は、図２に示されるものとほぼ同一であるが、軸部４に入る剛性の部分２１の浸透の深さはより小さい。
【０１１０】
連結要素９は、玉継ぎ手接合部１１によって、軸ピンによってアプリケータ要素５に接続することができる、あるいは固定される場合もある。
【０１１１】
接合部１１は、球形の部分５１と、接合部の台座を画定する筐体２１２とを有する。このような玉継ぎ手によって、アプリケータ要素５がその軸Ｘを中心として、軸部４に対してそれだけで回転することを可能にする。当然のことながら、回転は時計回りの場合と、反時計回りの場合がある。
【０１１２】
連結要素の軸Ｙは、軸部の軸Ｘに対して傾けることができる。
【０１１３】
図４および図５に示されるように、軸部４の軸Ｘとアプリケータ要素の軸Ｙの間に形成される角度ｉｉは、ユーザによって変えることができる。
【０１１４】
アプリケータ要素もまた連結要素との接合部を有する場合、アプリケータ要素の軸Ｚを、連結要素の軸Ｙに対して傾けることもできる。
【０１１５】
可撓性の部分２０は、剛性の部分２１を部分的に覆っている。
【０１１６】
可撓性の部分が剛性の部分２１を完全に覆う場合でも、これは本発明の範囲から逸脱することはない。
【０１１７】
図４において、可撓性の部分２０が
−  剛性の部分２１の端部を覆っている鍔２３１と、
−  狭くなっている部分２３３と、
−  球形の部分５１を覆っている鍔２３２と
を有する目に見える部分を備えることを見ることが可能である。
【０１１８】
図５に例示されるように、鍔２３２は、アプリケータ要素５の回転運動の間、鍔２３１に当接するようになる。
【０１１９】
このような当接によって、アプリケータ要素５の運動が制限される。それはアプリケータの可能な最大の傾斜の範囲を限定する。
【０１２０】
当接は、２つの可撓性の構成要素がぶつかることによって実現される。このような衝突は、柔軟であり衝撃が和らげられている。ユーザが感じる柔軟さの感覚は、快適なものである。
【０１２１】
最大角度ｉｉ  ｍａｘに到達すると（図５）、アプリケータ要素５は、その中央の静止位置（図４）へと規則正しく戻る。
【０１２２】
第２のアプリケータの実施例
図６から図８に示されるアプリケータは、軸部４の中に完全に収容された連結要素９を有する。
【０１２３】
連結要素９は、アプリケータ要素５の筐体２１９内へと進む可撓性のライン２０を有する。筐体２１９は比較的深い空洞を形成している。
【０１２４】
玉継ぎ手接合部１１は軸部４の内部に完全に収容される。
【０１２５】
球形の部分５１は、筐体２１２および２１９内に所望される隙間を有するように設置される。
【０１２６】
アプリケータ要素５が傾けられる際、球形の部分５１の回転によってライン２０が曲がることになる。このライン２０はこのとき、球形の部分５１をその開始位置へと戻す傾向がある対向する力を及ぼす。
【０１２７】
アプリケータへの荷重に関わらず、それはこの荷重が止むとすぐさまその静止位置に戻る。
【０１２８】
従来のアプリケータでは想像できなかった、マッサージおよびメーキャップを塗布するための今までになかった手の動きが実現される。
【０１２９】
可撓性の部分２０は、叩いたり押しつけたりする動作を利用する今までにないマッサージする手の動作のためのばねとして作用する。
【０１３０】
アプリケータ要素５は、マッサージ機能および化粧品の保持を高めるために、特殊な感触を与える表面を有することができる。
【０１３１】
アプリケータを使用するために、個人がアプリケータ要素５に化粧品を装填する。
【０１３２】
彼女はアプリケータ要素５を皮膚に接触させる。彼女は、アプリケータ要素５を皮膚の上で移動させる。彼女は、特定の場所で止め、アプリケータ要素５をそれだけで回転させることができる。彼女は、例えばその敏感さに関して、自分が選んだ特定の場所に圧力をかけることによって事実上点のようにマッサージを行う。
【０１３３】
彼女は、アプリケータ要素５の軸を軸部４の軸に対して傾けることもできる。アプリケータ要素５は、傾斜が十分に大きくなると、自動的にその静止位置へと戻る。
【０１３４】
第３のアプリケータの実施例
図９および図１０に示されるアプリケータは、連結要素９内に固定されたアプリケータ要素５を有する。この実施例では、接合部１１によってアプリケータ要素５と連結要素９が固定された位置で噛み合うことが保証される。接合部１１によってアプリケータ要素を連結要素内に設置し易くなる。
【０１３５】
接合部１１は、
−  銛のような形態の部分５１１と、
−  接合部の台座を画定する筐体２１２と
を有する。
【０１３６】
部分５１１は、銛の部分を台座５１１内に挿入することによって筐体２１２内に設置される。２つの構成要素は、締り嵌めによって併せて固定される。部分５１１は、アプリケータ要素５を連結要素９内にスナップ締めするためのクリップ締め用のノッチ５１３を画定する。
【０１３７】
アプリケータを使用するために、個人がアプリケータ要素５に製品を装填する。
【０１３８】
彼女はアプリケータ要素５を皮膚に接触させる。彼女は、アプリケータ要素５を皮膚の上で移動させる。彼女は、アプリケータ要素５の軸を軸部４の軸に対して傾けることもできる。アプリケータ要素５は、傾斜が十分に大きくなると、自動的にその静止位置へと戻る。このように静止位置に戻ることは、可撓性の要素２０のばね作用が理由で可能になる。
【０１３９】
第４のアプリケータの実施例
図１１から図１３に示されるアプリケータは、剛性の頂部２１と可撓性の底部２０とを有するように二段階射出成形によって形成された連結要素９を有する。アプリケータは軸部４の中にクリップ締めされている。アプリケータが皮膚に押しつけられることによって枢動される際、後者が可撓性の部分２０を引き延ばし、可撓性の部分２０は、アプリケータ要素５に対する圧力が止んだとき、自動的にアプリケータ要素５をその軸Ｘ内に戻す。接合部１１によって、アプリケータ要素５と連結要素９の相対的移動が保証される。さらに、可撓性の部分２０によってアプリケータ要素５の軸が、軸部４の軸に対して曲がることも保証される。アプリケータ要素５は、この傾斜が大きくなりすぎた場合、自動的にその静止位置に戻る。このように静止位置に戻ることは、可撓性の要素２０のばね作用が理由で可能になる。
【０１４０】
当然のことながら、本発明は、まさに記載されている例示の実施形態に限定されるわけではない。例えば種々の実施形態の特徴を互いに組み合わせることで、本発明による新たな実施形態を生み出すことが可能である。具体的には、アプリケータ要素は異なる場合がある。連結要素の構造および軸部に対するその配置が異なる場合がある。接合部は、任意の他の種類のものである場合もある。
【０１４１】
本発明はまた、
−  アプリケータ要素と、
−  軸部と、
−  軸部に固定され、狭くなっている部分を画定する連結要素と
を有し、
−  前記連結要素は、ケラチン物質に製品を塗布する際に曲がることができる弾性的に変形可能な可撓性の部分と、剛性の部分とを有し、
−  前記剛性の部分は、前記狭くなっている部分の中を通過している、
ケラチン物質に特定の製品を塗布するためのアプリケータに関する。
【０１４２】
「１つを有する」という表現は、それと反対のことが特定されなければ、「少なくとも１つを有する」と同義語として理解すべきである。
【符号の説明】
【０１４３】
４  軸部
５  アプリケータ要素
９  連結要素
１０  把持部材
１１  接合部
２０  可撓性の部分、可撓性のライン
２１  剛性の部分
５１  球形の部分
９１  雌ねじ
２１１  軸部の筐体、端部
２１２  剛性の部分の筐体
２１３  ヘッド
２１４  開口
２１５、２１６  平坦な面
２１７  中央の突起
２１８  球形の壁
２１９  球形の部分の中の筐体
２２０  スカート
２３１、２３２  鍔
２３３  狭くなっている部分
５１１  銛のような形態の部分、台座
５１３  ノッチ
Ｘ  軸部の軸
Ｙ  連結要素の軸
ｉｉ  Ｘ軸とＹ軸の間に形成される角度
【図１】
2017509390.tif 000003
【図２】
2017509390.tif 000004
【図３】
2017509390.tif 000005
【図４】
2017509390.tif 000006
【図５】
2017509390.tif 000007
【図６】
2017509390.tif 000008
【図７】
2017509390.tif 000009
【図８】
2017509390.tif 000010
【図９】
2017509390.tif 000011
【図１０】
2017509390.tif 000012
【図１１】
2017509390.tif 000013
【図１２】
2017509390.tif 000014
【図１３】
2017509390.tif 000015
【国際調査報告】
2017509390.tif 000016
2017509390.tif 000017